(57)【要約】【課題】簡単な操作で多数の項目のうちから所望の項目を短時間で検索できる項目検索方法を提供する。【解決手段】例えばハードディスクに記憶された多数の楽曲から所望の楽曲を検索する場合、ハードディスクに記憶されている楽曲の曲名を五十音順にソートし、頭文字（読みの最初の１文字）毎のグループに区分けしたリストを作成する。そして、最初の数曲分の曲名を表示装置に表示し、ロータリーエンコーダのダイヤルの回転に合わせて画面をスクロールする。このとき、表示装置に表示する曲名の頭文字が変化すると、ビープ音を出力するとともに、画面のスクロールを０．５秒間停止する。これにより、ダイヤルの回転を早くしても、画面に表示されている曲名を確認することができる。【選択図】  図３
2005004891.tif 000002
【特許請求の範囲】
【請求項１】
所定の順序で配列し且つグループ毎に区分けされた複数の項目を入力装置からの信号に応じて表示装置に順番に表示して所望の項目を検索する項目検索方法において、
前記表示装置に表示する項目のグループが変化したときに、前記入力装置からの信号を一定の時間だけ無効にして前記表示装置に表示された画面を前記一定の時間だけ保持することを特徴とする項目検索方法。
【請求項２】
前記表示装置に表示する項目のグループが変化したときに、所定の音又は音声を出力することを特徴とする請求項１に記載の項目検索方法。
【請求項３】
前記入力装置から信号が所定の時間入力されないと、前記表示装置に表示されている項目を音声により通知することを特徴とする請求項１に記載の項目検索方法。
【請求項４】
前記項目が読みの順に配列され、読みの頭文字毎にグループ分けされていることを特徴とする請求項１に記載の項目検索方法。
【請求項５】
前記入力装置としてロータリーエンコーダを使用することを特徴とする請求項１乃至４のいずれか１項に記載の項目検索方法。
【請求項６】
前記項目が、楽曲の曲名、アーティスト名及びアルバム名のうちのいずれか１つであることを特徴とする請求項１乃至４のいずれか１項に記載の項目検索方法。
【請求項７】
前記項目が、地名及び施設名のうちのいずれか一方であることを特徴とする請求項１乃至４のいずれか１項に記載の項目検索方法。
【発明の詳細な説明】
【０００１】
【発明の属する技術分野】
本発明は、多数の項目のうちから所望の項目を検索する項目検索方法に関し、特にハードディスク等の記憶装置に記憶された多数の楽曲のうちから所望の楽曲を検索するのに好適な項目検索方法に関する。
【０００２】
【従来の技術】
近年、ハードディスクを備え、数千曲分の楽曲（音楽データ）を記憶できるオーディオ装置が普及し始めている。音楽データには、曲名、アルバム名及びアーティスト名等のデータが付加されており、ユーザはハードディスクに記憶されている楽曲のうちから所望の楽曲を、曲名、アルバム名又はアーティスト名により検索することができる。このようなオーディオ装置では、所望の楽曲を素早く検索できるように、エンター機能付きロータリーエンコーダ（いわゆるジョグダイヤル）が設けられたものが多い。
【０００３】
ユーザが所望の楽曲を検索する場合、所定の操作を行うと、例えばハードディスクに記憶されている楽曲の曲名が文字コード順にソートされて表示装置に表示される。但し、表示装置には一度に数曲分の曲名しか表示できないため、表示装置に表示されるのは最初の数曲分の曲名のみである。また、１番目の曲名の位置に選択枠（カーソル）が配置されて、１番目の曲名が選択された状態となる。選択枠が配置された曲名（すなわち、選択された曲名）は、文字色と背景色とが反転して表示（反転表示）される。この状態でロータリーエンコーダのダイヤルを右方向に回すと、２番目の曲名、３番目の曲名というように選択枠が上から下に順番に移動する。ロータリーエンコーダを更に回転すると画面がスクロールして次の曲名が表示され、選択枠も次の曲名の位置に移動する。以下同様に、ロータリーエンコーダの回転に伴って画面がスクロールし、選択枠が配置される曲名が順次変更される。
【０００４】
このようにして所望の曲名の位置に選択枠を配置した後、ロータリーエンコーダのダイヤルを押して曲名を決定すると、決定された曲名の音楽データがハードディスクから読み出されて、音楽の再生が開始される。
【０００５】
上述のオーディオ装置のように入力装置としてロータリーエンコーダを使用すると、ダイヤルの回転速度に応じて画面のスクロール速度が変化するので、比較的短時間で所望の楽曲を検索することが可能である。しかし、一般的に、ユーザは所望の楽曲を素早く検索しようとしてロータリーエンコーダのダイヤルを早く回転させる傾向があり、その場合は画面のスクロール速度が速くなるため、表示装置に表示される曲名を読み取ることができない。従って、ユーザはダイヤルの回転を時々止めて表示装置に表示されている曲名を確認し、次にダイヤルをどれくらいの速さでどれくらいの角度だけ回転すればよいのかを判断するという作業を行っている。このため、所望の楽曲を検索するまでに多くの時間を費やしてしまうことがある。
【０００６】
特開平８−９６２９５号公報には、五十音順に並べられた項目（地点データ名）に対し選択枠を１行づつ順番に移動させる１行送りスクロールボタンと、選択枠を項目の頭文字（読みの最初の１文字）毎に移動させる頭出しスクロールボタンとを設けた情報表示装置が記載されている。この情報表示装置では、例えば頭出しスクロールボタンにより所望の項目が属する頭文字のグループの最初の項目まで選択枠を移動させた後に、１行送りスクロールボタンにより目的の項目まで選択枠を１行づつ移動させて、所望の項目を検索する。
【０００７】
【特許文献１】
特開平８−９６２９５号公報
【０００８】
【発明が解決しようとする課題】
上述したように、ロータリーエンコーダを入力装置に用いた従来のオーディオ装置では、ダイヤルを高速で回転させると画面のスクロール速度が速くなり、表示装置に表示されている曲名がわからないため、ダイヤルの回転を時々を止めて表示装置に表示されている曲名を確認する必要がある。従って、操作性が十分とはいえない。
【０００９】
また、特開平８−９６２９５号公報に記載された情報表示装置では、状況に応じて上方向頭出しスクロールボタン、下方向頭出しスクロールボタン、上方向１行送りスクロールボタン及び下方向１行送りスクロールボタンの４つのボタンを使い分ける必要があり、操作が煩雑である。
【００１０】
以上から、本発明の目的は、簡単な操作で多数の項目のうちから所望の項目を短時間で検索できる項目検索方法を提供することである。
【００１１】
【課題を解決するための手段】
上記した課題は、所定の順序で配列し且つグループ毎に区分けされた複数の項目を入力装置からの信号に応じて表示装置に順番に表示して所望の項目を検索する項目検索方法において、前記表示装置に表示する項目のグループが変化したときに、前記入力装置からの信号を一定の時間だけ無効にして前記表示装置に表示された画面を前記一定の時間だけ保持することを特徴とする項目検索方法により解決する。
【００１２】
本発明においては、所定の順序で配列し且つグループ毎に区分けされた項目を表示装置に順次表示する際に、表示する項目のグループが変化すると入力装置からの信号を一定の時間だけ無効にして表示装置に表示された画面を一定の時間だけ保持する。これにより、画面のスクロールが一定の時間だけ停止され、ユーザは表示装置に表示されている項目を確認することができる。従って、入力装置の操作をあとどれくらい操作すればよいかを判断することができて、所望の項目を検索するまでに要する時間が短縮される。
【００１３】
この場合に、画面のスクロールを停止するとともに、所定の音又は音声を出力することが好ましい。これにより、表示装置に表示される項目のグループの変化を耳で確認することが可能になる。
【００１４】
【発明の実施の形態】
以下、本発明の実施の形態について、添付の図面を参照して説明する。
【００１５】
図１は、本発明の実施の形態の項目検索方法を実現するオーディオ装置の構成を示すブロック図である。
【００１６】
このオーディオ装置は、制御部１０、ハードディスク１１、操作部１２、音声合成部１３、表示装置１４、Ｄ／Ａ変換器１５及びスピーカー１６により構成されている。
【００１７】
ハードディスク１１には多数の楽曲（音楽データ）が記憶されている。各音楽データには、曲名、アルバム名、アーティスト名及びそれらの読み（平仮名又は片仮名）等のデータが付加情報として付加されている。
【００１８】
制御部１０はマイクロコンピュータにより構成されており、ハードディスク１１から読み出された音楽データから付加情報を分離抽出したり、音楽データをデジタルのオーディオ信号に変換するなどの処理を行う。音声合成部１３は、制御部１０から出力された信号に応じた音声信号を生成する。
【００１９】
操作部１２は、図２に示すように、前面パネルに取り付けられた電源スイッチ（ＰＷＲ）２２、メニューボタン２４及びエンター機能付きロータリーエンコーダ２５により構成されている。ロータリーエンコーダ２５のダイヤルを回転すると、ロータリーエンコーダ２５から制御部１０にパルス信号が出力される。このパルス信号により、制御部１０はダイヤルの回転方向、回転角及び回転速度を検出する。また、ロータリーエンコーダ２５のダイヤルを押すと、ロータリーエンコーダ２５から制御部１０にエンター信号が出力される。
【００２０】
表示装置１４は液晶パネルにより構成されており、図２に示すように前面パネルに取り付けられている。制御部１０は、後述するように、動作状況に応じて表示装置１４に操作メニューを表示したり、再生中の楽曲の曲名、アーティスト名、アルバム名及び演奏時間を表示したり、ハードディスク１１に記憶されている楽曲名のリストを表示したりする。
【００２１】
Ｄ／Ａ変換器１５は、制御部１０から出力されたデジタルのオーディオ信号をアナログのオーディオ信号に変換してスピーカー１６に供給する。
【００２２】
以下、図３，図４のフローチャートを参照して、本発明の実施の形態に係る曲名（項目）検索方法について説明する。
【００２３】
まず、ステップＳ１１において、ユーザは制御部１０に検索開始の指示を行う。すなわち、メニューボタン２４を押すと表示装置１４にメインメニュー（図示せず）が表示され、このメインメニューで所定の項目を選択し決定すると、図５に示すサブメニューが表示される。このサブメニューでは、アルバム名による検索、アーティスト名による検索又は曲名による検索のいずれかを指定する。この例では、曲名による検索を指定したものとする。
【００２４】
曲名による検索が指定されると、ステップＳ１２に移行し、制御部１０はハードディスク１１に記憶されている楽曲の曲名を五十音順にソートし、頭文字（読みの最初の１文字）毎のグループに区分けしたリストを作成する。そして、ステップＳ１３に移行し、ソートした順番で表示装置１４に曲名を表示する。この例では、図６（ａ）に示すように、表示装置１４には５曲分の曲名しか表示するスペースがないので、最初の５曲分の曲名が表示装置１４に表示される。また、１番目の曲名の位置に選択枠（カーソル）が配置されて曲名が反転表示（図６ではハッチングで示す）され、１番目の曲名が選択された状態となっている。
【００２５】
次に、ステップＳ１４に移行し、制御部１０はロータリーエンコーダ２５のダイヤルが回転したか否かを判定する。ダイヤルの回転を検出した場合はステップＳ１５に移行し、ダイヤルが回転していないと判定した場合はステップＳ１９に移行する。ここでは、ダイヤルの回転が検出されてステップＳ１５に移行したものとする。
【００２６】
ステップＳ１５では、制御部１０により選択枠の位置（反転表示される曲名）が変更される。ダイヤルが右方向に特定の角度だけ回転したときは選択枠が現在選択されている曲名の１つ下の曲名の位置に移動し、左方向に特定の角度だけ回転したときは選択枠が現在選択されている曲名の１つ上の曲名の位置に移動する。図６（ｂ）に示すように、表示装置１４の一番下の曲名の位置に選択枠が配置されているときにダイヤルを右方向に回転すると、画面が上方向にスクロールして選択枠が新たに表示された曲名の位置に移動する。また、表示装置１４の１番上の曲名の位置に選択枠が配置されているときにロータリーエンコーダ２５のダイヤルを左方向に回転すると、画面が下方向にスクロールして選択枠が新たに表示された曲名の位置に移動する。
【００２７】
次に、ステップＳ１６において、制御部１０は選択された曲名の頭文字が一つ上の曲名の頭文字と同じか否か（同じグループか否か）を判定する。そして、同じと判定した場合はステップＳ１４に戻り、異なると判定した場合はステップＳ１７に移行する。
【００２８】
ステップＳ１７では、制御部１０は例えば「ビーッ」というビープ音を発生し、Ｄ／Ａ変換器１５を介してスピーカー１６から出力する。これにより、ユーザは、表示装置４に表示する曲名の頭文字が変化（例えば、頭文字が「あ」から「い」に変化）したことを知ることができる。なお、ビープ音の替わりに、グループの頭文字を音声で出力するようにしてもよい。
【００２９】
その後、ステップＳ１８に移行し、制御部１０は０．５秒間だけロータリーエンコーダ２５から入力されるパルス信号を無視する。これにより、表示装置１４のスクロールが０．５秒間停止（ポーズ）するので、ユーザは表示装置４に表示されている曲名を読み取ることができる。その後、ステップＳ１４に戻る。
【００３０】
このようにして、ロータリーエンコーダ２５のダイヤルを高速で連続的に回転しても、表示装置１４に表示される曲名の頭文字が変化するときにはビープ音が発生し、画面のスクロールが一時的に停止するので、表示装置１４に表示されている曲名を確認することができる。従って、所望の楽曲が表示されるまであとどれくらいダイヤルを回転すればよいかを判断することができる。
【００３１】
ステップＳ１４において、制御部１０がロータリーエンコーダ２５のダイヤルが回転していないと判断した場合は、ステップＳ１９に移行する。ステップＳ１９において、制御部１０はロータリーエンコーダ２５のダイヤルが押されたか否かを判定する。押されていないと判定したときはステップＳ２０に移行し、制御部１０はロータリーエンコーダ２５のダイヤルの回転が停止してから２秒経過したか否かを判定する。ここで、２秒経過していないと判定したときはステップＳ１４に戻る。一方、ダイヤルの回転が停止してから２秒間経過したと判定したときは、ステップＳ２０からステップＳ２１に移行する。そして、選択枠の位置の曲名のデータを取得して音声合成部１３で音声合成し、Ｄ／Ａ変換器１５でアナログの音声信号に変換してスピーカー１６に出力する。これにより、ユーザには現在選択されている楽曲の曲名が音声で出力される。その後、ステップＳ１４に戻る。
【００３２】
一方、ステップＳ１９でロータリーエンコーダ２５のダイヤルが押されて曲名が決定されたときは、ステップＳ２２に移行して、決定された曲名の音楽データをハードディスク１１から読み出し、音楽の再生を開始する。
【００３３】
上述したように、本実施の形態においては、表示装置１４に表示される曲名の頭文字が変化するときに「ビーッ」というビープ音がスピーカー１６から出力され、画面のスクロールが０．５秒間だけ停止する。これにより、ユーザは、ロータリーエンコーダ２５のダイヤルを連続的に回転していても表示装置１４に表示された曲名を確認することができて、所望の楽曲が検索されるまであとどれくらいダイヤルを回転すればよいかを判断することができる。従って、所望の楽曲を検索するまでに要する時間を短縮することができる。
【００３４】
また、本実施の形態では、ダイヤルの回転が停止してから２秒間経過すると、そのときに選択されている曲名が音声によりスピーカー１６から出力される。これにより、例えば本発明を車載用オーディオ装置に適用した場合に、ユーザは前方の道路状況を見ながら現在選択されている曲名を耳で確認することができる。従って、表示装置に表示される曲名に気をとられて安全運転がおろそかになるというおそれがない。
【００３５】
なお、上記実施の形態では入力装置がロータリーエンコーダの場合について説明したが、これにより本発明の入力装置がロータリーエンコーダに限定されるものではない。例えば、入力装置として、選択枠を上方向及び下方向の項目に移動させるためのＵＰボタン及びＤＯＷＮボタンと、選択された項目を決定するための決定ボタンとを設けてもよい。
【００３６】
また、上記実施の形態では音楽データに曲名、アーティスト名及びアルバム名の読みのデ−タが付加されている場合について説明したが、本発明はこれに限定されるものではない。例えば、音楽データに読みのデータが付加されていない場合は、曲名、アーティスト名又はアルバム名を文字コード順にソートして表示するようにすればよい。
【００３７】
更に、上記実施の形態では、本発明を楽曲の検索に使用した場合について説明したが、これにより本発明の適用範囲が楽曲の検索に限定されるものでないことは勿論である。例えば、本発明は地名の検索や施設の検索等、種々の分野に適用することができる。
【００３８】
【発明の効果】
以上説明したように、本発明によれば、所定の順番で配列し且つグループ毎に区分けされた項目を表示装置に順次表示する際に、グループが変化すると入力装置からの信号を一定の時間だけ無効にして表示装置に表示された画面を保持する。これにより、画面のスクロールが一定の時間だけ停止されて、表示装置に表示されている項目を確認することができる。従って、入力装置の操作をあとどれくらい継続すればよいかを判断することができる。これにより、所望の項目を検索するまでに要する時間が短縮される。
【図面の簡単な説明】
【図１】図１は、本発明の実施の形態の項目検索方法を実現するオーディオ装置の構成を示すブロック図である。
【図２】図２は、同じくそのオーディオ装置の前面パネルを示す平面図である。
【図３】図３は、本発明の実施の形態に係る曲名（項目）検索方法を示すフローチャート（その１）である。
【図４】図４は、本発明の実施の形態に係る曲名（項目）検索方法を示すフローチャート（その２）である。
【図５】図５は、表示装置に表示されるサブメニューの例を示す図である。
【図６】図６（ａ），（ｂ）は、いずれも表示装置に表示された画面の例を示す図である。
【符号の説明】
１０…表示部、
１１…ハードディスク、
１２…操作部、
１３…音声合成部、
１４…表示装置、
１５…Ｄ／Ａ変換器、
１６…スピーカー、
２４…メニューボタン、
２５…ロータリーエンコーダ。
【図１】
2005004891.tif 000003
【図２】
2005004891.tif 000004
【図３】
2005004891.tif 000005
【図４】
2005004891.tif 000006
【図５】
2005004891.tif 000007
【図６】
2005004891.tif 000008